(57)【要約】      （修正有）【課題】グランドゴルフあるいはゴルフの競技に際して、素早く所定位置に設置出来、かつ煩瑣な杭の打ち込みなどの固定手段の使用を省けるようにするとともに、携帯とか収納に際してはコンパクトになるようにしたスタート表示体を提供する。【解決手段】スタート表示体１において、ほぼ同形の二等辺三角形に形成した３枚以上の表示部２を側縁で横一連に接合して、多角錐形を形成し、頂部に挿通孔３を開口したスタート表示体１と、多角錐形を形成するスタート表示体の各稜線４の裏側に沿って一体に設けた筒部４と、下端部７を尖鋭に形成し、上端部にグリップ８を具えて上記筒部にそれぞれ挿通される適宜の長さの支柱６と、上記表示体の上部に突出する各支柱の上端部を結束する結束手段１０とを備え、設置時に支柱を開脚させるとともに、上端部に突出するグリップを持って各支柱をスタート位置の地面に刺して、該スタート表示体を立体的に保持させる。【選択図】図１
0003117444.tif 000002
【実用新案登録請求の範囲】
【請求項１】
グラウンドゴルフ等の競技に際して用いられ、コースのスタート位置をコース番号と共に表示するスタート表示体において、
柔軟性素材を用いて、ほぼ同形の二等辺三角形に形成した３枚以上の表示部を側縁で横一連に接合して、多角錐形を形成するとともに、頂部に支柱の挿通孔を開口したスタート表示体を備える。
多角錐形のスタート表示体の各稜線の裏側に沿って、下端部を尖鋭に形成し、上端部にグリップを具えた適宜の長さの支柱を取り付け、上記挿通孔から表示体の上部に突出する各支柱の上部を結束する。
使用に際しては、上記支柱を開脚させてスタート表示体を立体的に拡張するととも、グリップを持って各支柱を地面に刺して、表示体をスタート位置に固定し、使用後は、支柱を地面から抜き出し、表示部を支柱と共に折り畳めるようにしたことを特徴とするスタート表示体。
【請求項２】
前記スタート表示体と各支柱は、軸方向への移動を阻止される固定手段と、使用時、非使用時に支柱の上部を一束に束ねる結束手段とを備えていることを特徴とする請求項１記載のスタート表示体。
【請求項３】
前記スタート表示体と各支柱に備える固定手段は、支柱に設けた小孔に挿通した綴じ糸または綴じ糸に代わる線条をスタート表示体に縫い付けて、スタート表示体と各支柱の移動を阻止する綴じ付け手段を用い、前記結束手段は、拡開時にスタート表示体の上部で交差する支柱を外側から緊縛する紐、または緊締するバンドまたは針金であることを特徴とする請求項２記載のスタート表示体。
【請求項４】
前記固定手段は、全支柱の外周を囲むようにスタート表示体の上部に形成されて、使用時、非使用時におけるスタート表示体のずり落ちを防ぐ程度の大きさの小径孔により構成されていることを特徴とする請求項２記載のスタート表示体。
【請求項５】
前記各支柱は、前記スタート表示体の各稜線に沿わせて形成した筒部を挿通して、スタート表示体の裏側に取り付けられ、下端部に、支柱の差し込み深さを制限するフランジを具えていることを特徴とする請求項１記載のスタート表示体。
【考案の詳細な説明】
【技術分野】
【０００１】
本考案は、運動場、河川敷、公園とか広場で行なわれるグラウンドゴルフ等の競技に際して、コース毎に、スタート位置をコース番号と共に表示するスタート表示体に関し、例えば布のような柔軟性素材で形成したスタート表示体を所定位置に立体的に設置できるようにしたことを特長とする。
【背景技術】
【０００２】
グラウンドゴルフ用のスタート表示体に関しては、例えば、特許文献１と２がある。
特許文献１は、表示体を構成する各表示片内に硬質の板を入れるなどして自立できる程度の剛性を付与し、設置時に支えを使わずに立体的に角錐形を保持できるようにしたもので、この特許文献１の表示体には、定置後に地表に固定させるための手段として、例えば、杭を表示体とは別に備える必要がある。
特許文献２は、スタート表示体自体に柔軟性素材を用いて折り畳みを可能にし、多角錘形に形成されるスタート表示体の裏側に、基枠線、底枠線、支持枠線からなる線材をピラミッド状に組立て、線材によりスタート表示体の立体形状を支えさせるようにしたものであるが、特許文献１と同様に、設置位置に固定するための手段を別に備える必要がある上に、部品数が多く、組み立てに手数を要するなどの欠点がある。
【０００３】
【特許文献１】登録実用新案第３１１０１３８号公報（第１頁、図２〜４、９参照）
【特許文献２】登録実用新案第３１０５２９９号公報（第２頁、図１〜３参照）
【考案の開示】
【考案が解決しようとする課題】
【０００４】
上記各特許文献は、上述のように、何れもスタート表示体を所定位置に固定させるための手段を別に用いていたので、設置に手間取るとか部品数が多いとかの欠点があり、競技に際して、各コース毎に備えるスタート表示体の設置を素早くできるようにすることがこの種のスタート表示体に求められていた。
【０００５】
以上のことから、本考案の目的は、グラウンドゴルフあるいはゴルフの競技に際して、素早く所定位置に設置でき、かつ、煩瑣な杭の打ち込みなどの固定手段の使用を省けるようにするとともに、携帯とか収納に際してはコンパクトになるようにしたスタート表示体を開発することにある。
【課題を解決するための手段】
【０００６】
そこで本考案は、上記の課題を解決するために、グラウンドゴルフ等の競技に際して用いられ、コースのスタート位置をコース番号と共に表示するスタート表示体において、
柔軟性素材を用いて、ほぼ同形の二等辺三角形に形成した３枚以上の表示部を側縁で横一連に接合して、多角錐形に形成するとともに、頂部に支柱の挿通孔を開口したスタート表示体を備える。
多角錐形のスタート表示体の各稜線の裏側に沿って、下端部を尖鋭に形成し、上端部にグリップを具えた適宜の長さの支柱を取り付け、表示体の上部に突出する各支柱の上部を結束する。
使用に際しては、上記支柱を開脚させてスタート表示体を立体的に拡張するととも、グリップを持って各支柱を地面に刺して、該表示体をスタート位置に固定し、使用後は、上記支柱を地面から抜き出し、各表示部を支柱と共に折り畳めるようにしたことを特徴とするスタート表示体を提供するものである。
【０００７】
本考案第２項の考案は、スタート表示体と各支柱に、軸方向への移動を阻止する固定手段と、使用時、非使用時に支柱の上部を一束に束ねる結束手段とを備えたことを特長とし、立体的に拡張した場合のスタート表示体のずり下がりとか、折り畳んだ場合のスタート表示体と支柱との妄動を防止するようにしたものである。
また、請求項３は、スタート表示体と各支柱に備える固定手段として、支柱に設けた小孔に挿通した綴じ糸または綴じ糸に代わる線条をスタート表示体に縫い付けて、スタート表示体と各支柱の移動を阻止を固定する綴じ付け手段を用い、結束手段としては、拡開時にスタート表示体の上部で交差する支柱を外側から緊縛する紐、または緊締するバンドまたは針金であることを特長とし、固定手段と結束手段を安価に、かつ、軽量化できるようにしたものである。
【０００８】
第４項の考案は、スタート表示体と各支柱に備える固定手段と前記結束手段をそれぞれ個別に備え、固定手段を、スタート表示体の上部に備えられて全支柱の外周を囲み、かつ、拡開時におけるスタート表示体のずり落ちを防ぐ程度の大きさの小径孔により構成し、この小径孔により各支柱の妄動を防止するようにしたことを特長とする。
さらに、請求項５は、各支柱を、スタート表示体の各稜線に沿わせて形成した筒部に挿通してスタート表示体の裏側に取り付け、下端部に、支柱の差し込み深さを制限するフランジを具えることにより、設置位置における各スタート表示体の姿勢を一定に保つようにしたものである。
なお、請求項３において、結束手段に多少の伸縮余裕がある場合は、支柱の上端部に対して着脱せずに、結束状態のままで支柱を開脚し、スタート表示体を立体的に拡張し、折り畳み時には引き揃え状になる支柱をスタート表示体と共に結束状態を保持できるようにすることによって、折り畳み、組み立ての手数がよりいっそう省ける。
また、結束手段が支柱、スタート表示体に対して着脱できるように備えられている場合は、結束位置を折り畳み状態のスタート表示体と各支柱の中間部分に移して、前後にバランスよく結束し直すようにすると使用前後の携行と収納に便利である。
【考案の効果】
【０００９】
本考案に係るスタート表示体は、多角錘形に形成されるスタート表示体の稜線に沿って挿通した支柱の開脚と結束手段とにより立体形を保持し、尖鋭に形成した支柱の下端部をグリップを用いて地面に突き刺してスタート表示体を所定位置に固定させるようにしたので、構造が簡単で部品数が少なく、組み立てと撤収に手間がかからず、携行と収納に便利なスタート表示体の使用ができるとともに、部材の散逸を防いでコンパクトに形成できる。
以上のようにして本考案は前記の課題を解決したものである。
【考案を実施するための最良の形態】
【００１０】
グラウンドゴルフあるいはゴルフの競技に際して用いられ、コースのスタート位置をコース番号と共に表示するスタート表示体において、
柔軟性の素材を用いて、ほぼ同形の二等辺三角形に形成した３枚以上の表示部を側縁で横一連に接合して、多角錐形を形成するとともに、頂部に支柱の挿通孔を開口したスタート表示体を備える。
多角錐形を形成するこのスタート表示体の各稜線の裏側に沿って筒部を設け、
下端部を尖鋭に形成し、上端部にグリップを具えた適宜の長さの支柱を、各稜線の筒部内にそれぞれ挿通し、
表示体の上部の挿通孔から突出する各支柱の上端部を結束手段で結束する。
使用に際しては、各支柱を開脚してスタート表示体を立体的に拡張するとともに、上記グリップを持って支柱をスタート位置の地面に突き刺して、立体的に拡張しているスタート表示体を所定位置に固定する。
使用後は、各表示部を各支柱と共に折り畳めるように構成したことを特徴とするスタート表示体。
【実施例】
【００１１】
図面に示す実施例は、スタート表示体を三角錘形に形成する場合のもので、以下に本考案をこの実施例について説明する。
図１は、実施例を使用状態とともに示す斜視図、図２は、横断面図である。
【００１２】
図において、１は、例えば傘布のようなのような柔軟性のある素材を用いて、互いにほぼ同形の二等辺三角形に形成した３枚の表示部２を側縁で横一連に縫合し、設置時には図１に示すように、三角錐形に形成されるスタート表示体、３は、三角錐形を形成するスタート表示体１の頂部に設けた挿通孔、４は、このスタート表示体１の各稜線５（縫合線）の裏側に沿ってそれぞれ一体に配置した筒部(図２参照)、６は、上記各筒部４を挿通する支柱である。
【００１３】
各支柱６は、筒部３を貫通する下端部７を尖鋭に形成し、表示体１の頂部の挿通孔３から突出する上端にグリップ８を具えて、表示体１を稜線に沿って貫通する適宜の長さを有し、下端部６に支柱５の差し込み深さを制限するフランジ９を具えている。
１０は、スタート表示体１の上部に突出する各支柱６の交差部分を、図中虚線で示すように結束する結束手段である。この実施例において、結束手段１０にはゴムリング製のバンドを使用している。
なお、１１は、各表示部２の表面に形成したコース番号、４’は、筒部６とスタート表示体１との縫合部である。
【００１４】
以上の構成を備えたこのスタート表示体１は、グラウンドゴルフあるいはゴルフの競技に際して、コースのスタート位置に置かれ、結束手段１０により結束されている各支柱５の上端部を若干ひねって三脚型に開脚し、表示体１の上部に突出するグリップ８を持って支柱６を押し下げ、尖鋭に形成されている各下端部７をそれぞれ地中に突き刺すことにより、設置位置に固定される。
上述のように、このスタート表示体１の設置は極めて簡単に行われる。
また、グラウンドゴルフ等の競技終了後は、地中に刺さっている各支柱６を抜き出し、結束手段１０に上端部を結束させたままで支柱６を引き揃え状に束ねると、各表示部２は雨傘を畳んだ場合のようにそれぞれ二つ折りに折り畳まれて携行できる状態に戻る。
【００１５】
本考案に用いる結束手段１０は、実施例に示すようなゴムバンドに限らず、紐またはベルトまたは針金のように束ねる支柱６とかスタート表示体１に対して着脱を可能にしたものであってもよく、結束位置を移動可能に形成することによって、折り畳み時に、スタート表示体１および支柱５の中央部分を、前後のバランスよく結束できるようにすることができる。
【００１６】
さらに、スタート表示体１と支柱６との軸方向の妄動（ずり落ち）を阻止する必要がある場合には、図２に示すように、支柱６に小孔１２を設けて綴じ糸１３または綴じ糸みに代わる金属線条を挿通し、図中虚線で示す綴じ糸１２をスタート表示体１に縫い付けるようにするか、または、接着等の適宜の固定手段を採用する。なお、支柱６に小孔１２を設けて綴じ糸１３を挿通する上記縫い付け手段を用いた場合には、表示体１と支柱６との妄動が阻止されるので、筒部４の形成を省くことができる。また、スタート表示体１の頂部に設ける挿通孔３を可及的に小さくし、丈夫に形成することにより、該挿通孔３に上記結束手段１０及び固定手段を兼用させるようにすることができる。
【産業上の利用可能性】
【００１７】
本考案において、スタート表示体を形成する表示部の枚数は、本考案の要旨に沿って３枚より多くてもよく、また、各枚毎に縫合することなく１枚の基布から連接する表示部の枚数に応じて扇形に裁断し、扇形の両端(側縁)を、例えばファスナーとかベルベットファスナー等で綴じ合わせるようにしたものを用いることもできる。
さらに、スタート表示体に使用する素材は、傘布、帆布等以外に折り畳み可能な柔軟性のある不織布とか樹脂製シートを用いることができる。
さらに、本考案に係るスタート表示体は、図示した実施例の態様に限らず、使用に即して各部の形態を変えたり、大きさを変更することなどは、本考案の要旨に沿って適宜に選択できる設計変更の範囲に属する。
【図面の簡単な説明】
【００１８】
【図１】図１は実施例をその使用状態とともに示す斜視図である。
【図２】図２は横断面図である。
【符号の説明】
【００１９】
１  スタート表示体
２  表示部
３  挿通孔
４  筒部  （４’  縫合部）  
５  稜線(縫合線)
６  支柱
７  下端部
８  グリップ
９  フランジ
１０  結束手段
１１  コース番号
１２  小孔
１３  綴じ糸（線条）
【図１】
0003117444.tif 000003
【図２】
0003117444.tif 000004
【手続補正書】
【提出日】平成17年10月19日(2005.10.19)
【手続補正１】
【補正対象書類名】実用新案登録請求の範囲
【補正対象項目名】請求項１
【補正方法】変更
【補正の内容】
【請求項１】
グラウンドゴルフ等の競技に際して用いられ、コースのスタート位置をコース番号と共に表示するスタート表示体において、
柔軟性素材を用いて、ほぼ同形の二等辺三角形に形成した３枚以上の表示部を側縁で横一連に接合して、多角錐形を形成するとともに、頂部に支柱の挿通孔を開口したスタート表示体を備え、
多角錐形のスタート表示体の各稜線の裏側に沿って、下端部を尖鋭に形成し、上端部にグリップを具えた適宜の長さの支柱を取り付け、上記挿通孔から表示体の上部に突出する各支柱の上部を結束し、
使用に際しては、上記支柱を開脚させてスタート表示体を立体的に拡張するととも、グリップを持って各支柱を地面に刺して、表示体をスタート位置に固定し、使用後は、支柱を地面から抜き出し、表示部を支柱と共に折り畳めるようにしたことを特徴とするスタート表示体。
【手続補正２】
【補正対象書類名】明細書
【補正対象項目名】０００６
【補正方法】変更
【補正の内容】
【０００６】
グラウンドゴルフ等の競技に際して用いられ、コースのスタート位置をコース番号と共に表示するスタート表示体において、
柔軟性素材を用いて、ほぼ同形の二等辺三角形に形成した３枚以上の表示部を側縁で横一連に接合して、多角錐形を形成するとともに、頂部に支柱の挿通孔を開口したスタート表示体を備え、
多角錐形のスタート表示体の各稜線の裏側に沿って、下端部を尖鋭に形成し、上端部にグリップを具えた適宜の長さの支柱を取り付け、上記挿通孔から表示体の上部に突出する各支柱の上部を結束し、
使用に際しては、上記支柱を開脚させてスタート表示体を立体的に拡張するととも、グリップを持って各支柱を地面に刺して、表示体をスタート位置に固定し、使用後は、支柱を地面から抜き出し、表示部を支柱と共に折り畳めるようにしたことを特徴とするスタート表示体を提供するものである。